【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
インサート軸（Ｂ２、Ｂ３）を有する割出し可能可逆切削インサート（２０、１３０）であって、
第１の端平面（Ｐ１、Ｓ１）を画成する多角形状の第１の端面（２２、１３２）および第２の端平面（Ｐ２、Ｓ２）を画成する多角形状の第２の端面（２４、１３４）であって、第１および第２の端平面（Ｐ１、Ｓ１、Ｐ２、Ｓ２）が互いに平行である、第１の端面（２２、１３２）および第２の端面（２４、１３４）と、
前記端面（２２、２４、１３２、１３４）間に延在する周囲側面（２６、１３６）であって、第２の周囲側部（３２、１４２）と周方向において交互に配置される第１の周囲側部（３０、１４０）を含む周囲側面（２６、１３６）と、
前記第１の端面（２２、１３２）と前記周囲側面（２６、１３６）との交点に沿って形成される第１の刃（４６、１３５）であって、複数の第２の切刃（６０、１６３）と交互に配置される複数の第１の切刃（５８、１６１）を備える第１の刃（４６、１３５）と、
前記第２の端面（２４、１３４）と前記周囲側面（２６、１３６）との交点に沿って形成される第２の刃（４８、１３７）であって、複数の第２の切刃（７４、１６７）と交互に配置される複数の第１の切刃（５２、１６５）を備える第２の刃（４８、１３７）と、を備え、
前記各第１の周囲側部（３０、１４０）は、前記第１の端平面（Ｐ１、Ｓ１）と第１のインサート内角（α、φ）を形成する第１の下位面（７０、１６０）と、前記第２の端平面（Ｐ２、Ｓ２）と鋭角の第２のインサート内角（θ、ψ）を形成する第２の下位面（７２、１６２）とを備え、各第１の周囲側部（３０、１４０）の前記第１の下位面および前記第２の下位面は、前記第１の端平面（Ｐ１、Ｓ１）から第１の距離（ｄ１、ｄ）であり、前記第２の端平面（Ｐ２、Ｓ２）から第２の距離（ｄ２、ｄ）である第１の線（Ｎ１）において交差し、
前記各第２の周囲側部（３２、１４２）は、前記第２の端平面（Ｐ２、Ｓ２）と第１のインサート内角（α、φ）を形成する第１の下位面（６６、１５６）と、前記第１の端平面（Ｐ１、Ｓ１）と鋭角の第２のインサート内角（θ、ψ）を形成する第２の下位面（６８、１５８）とを備え、各第２の周囲側部（３２、１４２）の前記第１の下位面および前記第２の下位面は、前記第２の端平面（Ｐ２、Ｓ２）から第１の距離（ｄ１、ｄ）であり、前記第１の端平面（Ｐ１、Ｓ１）から第２の距離（ｄ２、ｄ）である第２の線（Ｎ２）において交差する、
割出し可能可逆切削インサート。
【請求項２】
請求項１に記載の割出し可能可逆切削インサート（２０、１３０）であって、更に、
前記端面（２２、２４、１３２、１３４）間に延在し、それらに開口する中央貫通孔（６２）と、
各端面（２２、２４、１３２、１３４）上に形成されるインサート当接面（６４）と、を備え、
前記第２の端面（２４、１３４）は、前記第１の端面（２２、１３２）に対して回転され、
前記各第１の周囲側部（３０、１４０）は、前記第１の端面（２２、１３２）と関連する第１の切刃（５８、１６１）から、前記第２の端面（２４、１３４）と関連する第２の切刃（７４、１６７）に延在し、
前記各第２の周囲側部（３２、１４２）は、前記第２の端面（２４、１３４）と関連する第１の切刃（５２、１６５）から、前記第１の端面（２２、１３２）と関連する第２の切刃（６０、１６３）に延在している
割出し可能可逆切削インサート。
【請求項３】
請求項１または２に記載の割出し可能可逆切削インサート（２０）であって、
前記第１の距離（ｄ１）および前記第２の距離（ｄ２）は、互いに異なる割出し可能可逆切削インサート。
【請求項４】
請求項１または２に記載の割出し可能可逆切削インサート（１３０）であって、
前記第１の距離（ｄ１）および前記第２の距離（ｄ２）は、互いと同一である割出し可能可逆切削インサート。
【請求項５】
割出し可能可逆切削インサート（２０、１３０）であって、
第１の多角形状端面（２２、１３２）および、前記第１の端面（２２、１３２）と同一で、それと平行な第２の多角形状端面（２４、１３４）であって、前記第２の端面（２４、１３４）が前記第１の端面（２２、１３２）に対して回転される、第１の多角形状端面（２２、１３２）および第２の多角形状端面（２４、１３４）と、
前記端面（２２、２４、１３２、１３４）間に延在する周囲側面（２６、１３６）であって、複数の周囲側部（３０、３２、１４０、１４２）を含む周囲側面（２６、１３６）と、
２つの連続する周方向切刃（４６、４８、１３５、１３７）であって、各周方向切刃（４６、４８、１３５、１３７）が、前記周囲側面（２６、１３６）との各端面（２２、２４、１３２、１３４）の交点全体に沿って形成され、各周方向切刃（４６、４８、１３５、１３７）が、複数の第２の切刃（６０、７４、１６３、１６７）と交互に配置される複数の第１の切刃（５２、５８、１６１、１６５）を備えている、２つの連続する周方向切刃（４６、４８、１３５、１３７）と、
前記端面（２２、２４、１３２、１３４）間に延在し、それらに開口する中央貫通孔（６２）と、
２つのインサート当接面（６４）であって、各インサート当接面（６４）が、それぞれの端面（２２、２４、１３２、１３４）に位置する、インサート当接面（６４）と、を備え、
前記各周囲側部（３０、３２、１４０、１４２）は、第１の下位面（６６、７０、１５６、１６０）と、前記第１の下位面（６６、７０、１５６、１６０）と同一平面上に無い第２の下位面（６８、７２、１５８、１６２）とを含み、前記第１および第２の下位面は、前記端面（２２、２４、１３２、１３４）間に位置し、前記端面（２２、２４、１３２、１３４）と平行な少なくとも１つの中間平面（Ｍ、Ｐ３、Ｐ４）を画成し、前記第１および第２の下位面は、前記少なくとも１つの中間平面（Ｍ、Ｐ３、Ｐ４）のうちの１つにおいて交差し、
各周囲側部（３０、３２、１４０、１４２）において、
各第１の下位面（６６、７０、１５６、１６０）は、前記第１の切刃（５２、５８、１６１、１６５）のうちのそれぞれ１つと、前記少なくとも１つの中間平面（Ｍ、Ｐ３、Ｐ４）のうちの１つとの間に延在して、前記端面（２２、２４、１３２、１３４）のうちの１つによって画成される端平面（Ｐ１、Ｐ２、Ｓ１、Ｓ２）と第１のインサート内角（α、φ）を形成し、
各第２の下位面（６８、７２、１５８、１６２）は、前記第２の切刃（６０、７４、１６３、１６７）のうちのそれぞれ１つと、前記少なくとも１つの中間平面（Ｍ、Ｐ３、Ｐ４）のうちの１つとの間に延在して、前記端面（２２、２４、１３２、１３４）のうちの１つによって画成される別の端平面（Ｐ１、Ｐ２、Ｓ１、Ｓ２）と鋭角の第２のインサート内角（θ、ψ）を形成し、前記第２のインサート内角（θ、ψ）は、前記第１のインサート内角（α、φ）とは異なる、
割出し可能可逆切削インサート。
【請求項６】
請求項５に記載の切削インサート（２０）であって、隣接する周囲側部（３０、３２）の下位面（６６、６８、７０、７２）は、離間した異なる中間平面（Ｐ３、Ｐ４）において交差し、前記離間した各中間平面（Ｐ３、Ｐ４）は、その最も近傍の端平面（Ｐ１、Ｐ２）から同様の第１の距離（ｄ１）だけ離れている切削インサート。
【請求項７】
請求項６に記載の切削インサート（２０）であって、前記２つの端面（２２、２４）は、厚さ距離Ｈだけ離れており、前記第１の距離（ｄ１）は、前記厚さ距離Ｈの半分よりも小さい切削インサート。
【請求項８】
請求項５〜７のいずれか一項に記載の切削インサート（１３０）であって、各周囲側部（１４０、１４２）の前記下位面（１５６、１５８、１６０、１６２）は、前記端平面（Ｓ１、Ｓ２）から等距離にある単一の中央平面（Ｍ）において交差する切削インサート。
【請求項９】
請求項５〜７のいずれか一項に記載の切削インサート（２０、１３０）であって、各周方向切刃（４６、４８、１３５、１３７）は、Ｎ枚の第１の切刃（５２、５８、１６１、１６５）およびＮ枚の第２の切刃（６０、７４、１６３、１６７）を含み、Ｎは、２よりも大きい正の整数である切削インサート。
【請求項１０】
請求項５〜７のいずれか一項に記載の切削インサート（２０、１３０）であって、前記各端面（２２、２４、１３２、１３４）の多角形は、不均一な八角形である切削インサート。
【請求項１１】
請求項５〜７のいずれか一項に記載の切削インサート（２０、１３０）であって、前記第１のインサート内角（α、φ）は、８５°〜１００°の範囲にある切削インサート。
【請求項１２】
請求項５〜７のいずれか一項に記載の切削インサート（２０、１３０）であって、前記第２のインサート内角（θ、ψ）は、６５°〜８３°の範囲にある切削インサート。
【請求項１３】
請求項５に記載の切削インサート（２０、１３０）であって、前記各第１の切刃（５２、５８、１６１、１６５）は、第１の長さＡを有し、前記各第２の切刃（６０、７４、１６３、１６７）は、第２の長さＷを有し、前記第１の長さＡは、前記第２の長さＷよりも大きい切削インサート。
【請求項１４】
請求項１３に記載の切削インサート（２０、１３０）であって、前記第１の長さＡおよび前記第２の長さＷは、比率Ｗ／Ａを画成し、比率Ｗ／Ａは、ｌ／１０≦Ｗ／Ａ≦２／３の範囲にある切削インサート。
【請求項１５】
長手方向回転軸（Ｂ１）を有する切削工具（１００）であって、
工具本体（１１０）の前端（１０２）に形成される少なくとも１つのインサートポケット（１０６）を有する工具本体（１１０）と、
前記少なくとも１つのインサートポケット（１０６）内に保持される請求項１〜１８のいずれか一項に記載の切削インサート（２０、１３０）と、を備え、
前記少なくとも１つのインサートポケット（１０６）は、
当接平面（Ｐ５）を画成するポケット当接面（１１２）と、
前記ポケット当接面（１１２）に開口するねじ孔（１２０）とを備え、
２つのポケット受領側壁（１１４１、１１４２）は、前記当接平面（Ｐ５）から延在し、前記各ポケット受領側壁（１１４１、１１４２）は、
第１の平面側壁部（１１６１、１１６２）と交差し、前記当接平面（Ｐ５）と平行な平面（Ｐ６）とインサート受領外角（β）を形成する第１の平面側壁部（１１６１、１１６２）と、
前記各第１の平面側壁部（１１６１、１１６２）と交差し、前記当接平面（Ｐ５）に向かって延在してそれと鋭角のポケット外角（φ）を形成する第２の平面側壁部（１１８１、１１８２）とを含み、
前記２つのインサート当接面（６４）のうちの１つは、前記ポケット当接面（１１２）と当接し、
前記切削インサート（２０、１３０）のうちの２つの周囲側部（３０、３２、１４０、１４２）の前記第１の下位面（６６、７０、１５６、１６０）は、ダブテール方式で、前記第１の側壁部（１１６１、１１６２）のうちのそれぞれ１つに当接し、
締付ボルト（１０８）が、前記切削インサート（２０、１３０）の前記中央貫通孔（６２）を貫通し、前記インサートポケット（１０６）の前記ねじ孔（１２０）と螺合する
切削工具。
【請求項１６】
請求項１５に記載の切削工具（１００）であって、前記ポケット外角（φ）は、前記第２のインサート内角（θ、ψ）よりも小さい切削工具。
【請求項１７】
請求項１６に記載の切削工具（１００）であって、前記インサート受領外角（β）は、前記切削インサート（２０、１３０）の前記第１のインサート内角（α、φ）よりも大きい切削工具。
【請求項１８】
請求項１５に記載の切削工具（１００）であって、前記第１の側壁部（１１６１、１１６２）のうちのそれぞれ１つと当接する前記２つの第１の下位面（６６、７０、１５６、１６０）は、ダブテール方式で、前記切削インサート（２０、１３０）の同じ端面（２２、２４、１３２、１３４）と関連する切削工具。
【請求項１９】
請求項１５に記載の切削工具（１００）であって、前記少なくとも１つのインサートポケット（１０６）の正面図において、前記２つの各ポケット受領側壁（１１４１、１１４２）は、それらの間で実質的に直角（γ）を形成する切削工具。
【請求項２０】
長手方向回転軸（Ｂ１）を有する切削工具本体（１１０）であって、前記切削工具本体（１１０）は、前端（１０２）を、それに形成される少なくとも１つのインサートポケット（１０６）とともに有し、
前記少なくとも１つのインサートポケットは、
当接平面（Ｐ５）を画成するポケット当接面（１１２）と、
前記ポケット当接面（１１２）に開口するねじ孔（１２０）と、
前記当接平面（Ｐ５）から延在する２つのポケット受領側壁（１１４１、１１４２）であって、前記各ポケット受領側壁（１１４１、１１４２）は、
第１の平面側壁部（１１６１、１１６２）と交差し、前記当接平面（Ｐ５）と平行な平面（Ｐ６）とインサート受領外角（β）を形成する第１の平面側壁部（１１６１、１１６２）と、
前記各第１の平面側壁部（１１６１、１１６２）と交差し、前記当接平面（Ｐ５）に向かって延在してそれと鋭角のポケット外角（φ）を形成する第２の平面側壁部（１１８１、１１８２）とを含む、２つのポケット受領側壁（１１４１、１１４２）と、を備え、
各インサートポケット（１０６）の正面図において、前記２つの各ポケット受領側壁（１１４１、１１４２）は、それらの間で実質的に直角（γ）を形成する
切削工具。